(57)【要約】【課題】環境変動による光線の光路変動量を自動的に検出して補正することにより、色抜けやゴーストの発生を抑制できるようにした光走査装置の提供を課題とする。【解決手段】光源１０から出射された複数本の光線を線状に結像して偏向手段２０の偏向面へ入射させる光学系１２〜１８と、偏向手段２０により偏向されて入射する複数本の光線を分離して、各々の被走査体へ導く分離手段２６と、画像形成領域外に設けられ、分離手段２６で同方向へ分離された２本の光線を同期信号検出手段４８へ反射する反射ミラー４６と、を備えた光走査装置において、同期信号検出手段４８で検出した２本の光線の光量の増減により、光軸ずれ量を判定する判定手段５６と、判定手段５６による判定結果に基づき、２本の光線を、光軸ずれを解消する方向へ移動させる光軸移動手段５４とを備える。【選択図】      図１０
2004287293.tif 000002
【特許請求の範囲】
【請求項１】
光源から出射された複数本の光線を線状に結像して偏向手段の偏向面へ入射させる光学系と、
前記偏向手段により偏向されて入射する複数本の光線を分離して、各々の被走査体へ導く分離手段と、
画像形成領域外に設けられ、前記分離手段で同方向へ分離された２本の光線を同期信号検出手段へ反射する反射ミラーと、
を備えた光走査装置において、
前記同期信号検出手段で検出した２本の光線の光量の増減により、光軸ずれ量を判定する判定手段と、
前記判定手段による判定結果に基づき、２本の光線を、光軸ずれを解消する方向へ移動させる光軸移動手段と、
を有することを特徴とする光走査装置。
【請求項２】
前記光軸移動手段が、光走査装置内の温度を上下させる温度制御手段であることを特徴とする請求項１に記載の光走査装置。
【請求項３】
前記温度制御手段が、光走査装置の筐体内へ風を吹き込むファンの回転数を制御して行われることを特徴とする請求項２に記載の光走査装置。
【請求項４】
前記光軸移動手段が、前記光学系を構成する反射ミラーの位置調整によって行われることを特徴とする請求項１に記載の光走査装置。
【請求項５】
前記光軸移動手段が、前記光源の位置調整によって行われることを特徴とする請求項１に記載の光走査装置。
【請求項６】
前記同期信号検出手段の前に副走査方向にのみパワーを持つ光学素子を配置し、前記偏向手段の偏向面へ入射させる光学系の光学素子の何れかと略共役関係とすることを特徴とする請求項１乃至５の何れかに記載の光走査装置。
【請求項７】
前記判定手段は、２本の光線が前記同期信号検出手段の所定位置に入射したときの基準光量と、２本の光線の入射位置がずれたときの測定光量との差から、光軸のずれ量とずれ方向を判定することを特徴とする請求項１乃至６の何れかに記載の光走査装置。
【発明の詳細な説明】
【０００１】
【発明の属する技術分野】
本発明は、例えば、感光体ドラムなどの像坦持体（被走査体）に同一あるいは異なる色彩の静電潜像を形成し、この静電潜像から形成されたトナー像を、転写媒体を移動させながら順次転写させて、その転写媒体に所望の画像を形成する画像形成装置に適用される光走査装置に関し、更に詳しくは、光源から発せられた光ビームを、環境変動による光路変動があっても、それぞれの像担持体（被走査体）に確実に入射させられるようにする手段に関する。
【０００２】
【従来の技術】
従来、例えばカラー複写機やカラープリンター等のカラー画像形成装置としては、いわゆるタンデム型の画像形成装置が広く知られている。これは、感光体ドラムなどの像坦持体を複数並設し、これら像坦持体に各別にレーザービームを走査させながら照射して静電潜像を形成し、この静電潜像を所定のトナーで現像してトナー像を形成し、この像坦持体の並設方向に移動する記録紙などの転写媒体に順次トナー像を転写してカラー画像を形成する方式が採用されている画像形成装置である。
【０００３】
このようなカラー画像形成装置に用いられている光走査装置としては、例えば、像担持体の数に応じた複数のレーザー光源から出射されたレーザービームを、共通に偏向する偏向手段によって分離手段へ偏向させ、その分離手段によってそれぞれのレーザービームをそれぞれの像担持体へ導くようにしたものが知られている（例えば、特許文献１参照）。
【０００４】
図１２及び図１３は、この種の従来のカラー画像形成装置における光走査装置の概略構造を示す図である。この光走査装置は、Ｙ（イエロー）、Ｍ（マゼンタ）、Ｃ（シアン）、Ｋ（ブラック）の画像情報をそれぞれ含む４本のレーザービームを出射する半導体レーザーアレイ等からなるレーザー光源１０を備えている。レーザー光源１０の前方には、コリメーターレンズ１２とシリンドリカルレンズ１４とが配置され、レーザービームがそれらによって適宜線状に調整されて、第１反射ミラー１６に入射する。
【０００５】
第１反射ミラー１６で反射されたレーザービームは、第２反射ミラー１８に入射し、その第２反射ミラー１８で反射される。そして、側面に偏向面としての反射ミラーが形成された略正六角柱形状であり、適宜な速度で回転する偏向手段としてのポリゴンミラー２０に入射する。このポリゴンミラー２０で反射したレーザービームは、Ｆθレンズ２２、２４を透過して、分離手段を構成する分離多面鏡２６に入射する。
【０００６】
分離多面鏡２６は、断面正方形に形成されて、ポリゴンミラー２０の径方向と略平行に配設されている。この分離多面鏡２６の反射面２６Ａ、２６Ｂの頂点は、４本あるレーザービームの内側の２本で挟まれる場所に位置しており、反射面２６Ａ、２６Ｂは、この頂点を結ぶ縁を含み、レーザービームと略平行な面（基準面）に対して４５°に調整されている。そして、４本のレーザービームは、略等間隔で、その基準面に対して２本ずつが対称の位置となる光路で入射するように、コリメーターレンズ１２やシリンドリカルレンズ１４等の光学素子によって調整されている。
【０００７】
分離多面鏡２６の反射面２６Ａ、２６Ｂによって反射される方向の適宜位置には、第１反射手段である第１案内ミラー２８、第２案内ミラー３０、第３案内ミラー３２、第４案内ミラー３４が配設されており、それぞれの案内ミラー２８〜３４は４本のレーザービームにそれぞれ対応している。そして、第１案内ミラー２８と第４案内ミラー３４、及び第２案内ミラー３０と第３案内ミラー３２とが、それぞれ分離多面鏡２６に対して略対称の位置で、第１案内ミラー２８と第４案内ミラー３４とが外側に、第２案内ミラー３０と第３案内ミラー３２とが内側に配置されている。また、第１案内ミラー２８と第４案内ミラー３４は、第２案内ミラー３０と第３案内ミラー３２よりもポリゴンミラー２０側に設けられている。
【０００８】
案内ミラー２８〜３４よりもポリゴンミラー２０側には、第２反射手段である第１シリンドリカルミラー３６、第２シリンドリカルミラー３８、第３シリンドリカルミラー４０、第４シリンドリカルミラー４２が配設されている。そして、第１案内ミラー２８で反射したレーザービームは第１シリンドリカルミラー３６に、第２案内ミラー３０で反射したレーザービームは第２シリンドリカルミラー３８に、第３案内ミラー３２で反射したレーザービームは第３シリンドリカルミラー４０に、第４案内ミラー３４で反射したレーザービームは第４シリンドリカルミラー４２にそれぞれ入射する。シリンドリカルミラー３６〜４２に入射したレーザービームは、そのシリンドリカルミラー３６〜４２で反射され、被走査体である感光体ドラムなどの像担持体（図示省略）に入射して、その表面に静電潜像を形成する。
【０００９】
案内ミラー２８〜３４とシリンドリカルミラー３６〜４２の位置は、４本のレーザービームのレーザー光源１０から像担持体の像形成位置４４に至る光路長が略等しくなる位置とされている。このため、図１２で示すように、分離多面鏡２６を挟んで、第２シリンドリカルミラー３８は第２案内ミラー３０の反対側に、第３シリンドリカルミラー４０は第３案内ミラー３２の反対側に、それぞれ配置されて、第２案内ミラー３０と第２シリンドリカルミラー３８との間の光路、及び第３案内ミラー３２と第３シリンドリカルミラー４０との間の光路は、分離多面鏡２６を越えて形成されている。
【００１０】
また、感光ドラムなどの像担持体は適宜な速度で回転しており、この回転に応じて静電潜像を形成する位置が変更される。そして、ポリゴンミラー２０の回転によって、分離多面鏡２６への入射位置が変更され、これによって、像担持体への入射位置が変更される。ここで、ポリゴンミラー２０の回転によって像担持体への入射位置が変更される走査方向を主走査方向とし、像担持体の回転に応じて入射位置が変更される走査方向を副走査方向とすると、分離多面鏡２６における主走査方向への走査範囲の外側（画像形成領域外）には、分離多面鏡２６の反射面２６Ａで反射したレーザービームが入射するセンサーミラー４６が、適宜位置に設けられている。
【００１１】
そして、このセンサーミラー４６で反射したレーザービームは、分離多面鏡２６に戻されて入射するように構成されており、更に、その分離多面鏡２６で反射されて、ポリゴンミラー２０の近傍に配設されている同期信号検出手段としての照射位置検出センサー４８に入射するように構成されている。この照射位置検出センサー４８へのレーザービームの入射があると、感光体ドラムなどの像担持体４４への静電潜像の形成が適切なタイミングで開始される。
【００１２】
【特許文献１】
特開２００１−２８１５７５公報
【００１３】
【発明が解決しようとする課題】
図１４は、図１２の分離多面鏡２６の反射面２６Ａにより反射された２本の光線ＢＹ、ＢＣと第２案内ミラー３０の位置関係を詳細に示したものである。２本の光線ＢＹ、ＢＣの間隔△（ＢＹ−ＢＣ）は、分離前（分離多面鏡２６に入射する前）において、同一の光学系（ポリゴンミラー２０やＦθレンズ２２、２４など）を使用するため、結像性能やコストを鑑みて、小さい方が好ましい。
【００１４】
しかしながら、この２本の光線ＢＹ、ＢＣは、第２案内ミラー３０付近では副走査方向に結像させるシリンドリカルミラー直前の光線であるため、光線幅ＷＹ、ＷＣを持っており、２本の光線ＢＹ、ＢＣの間隔△（ＢＹ−ＢＣ）が小さすぎると、光線幅ＷＹ、ＷＣも考慮した光線間隔ＤＭが小さくなり、第２案内ミラー３０で２本の光線ＢＹ、ＢＣを完全独立に分離させることが難しくなる。
【００１５】
したがって、通常は部品交差、調整公差なども考慮して光線間隔ＤＭの値を決定し、そこから２本の光線ＢＹ、ＢＣの間隔△（ＢＹ−ＢＣ）を算出して、ポリゴンミラー２０への入射前の光学素子１２〜１８にて、その２本の光線ＢＹ、ＢＣの間隔△（ＢＹ−ＢＣ）を調整している。これは対称的な位置にある第３案内ミラー３２付近の位置関係についても同じことが言える。
【００１６】
しかしながら、温度や振動衝撃などの環境変動が起こると、特に光源や分離前の４本の光線が通過している光学素子１６、１８の位置や姿勢（上下・左右方向の傾き）が変動することがあり、このような位置変動や姿勢（傾き）変動が起きると、それらの光線が主走査面内に対して、予期しない（所望としない）角度を持って分離多面鏡２６に入射することになる。
【００１７】
すなわち、例えば図１５で示すように、それらの光線が光軸ノミナルに対して上向きになるような（所望としない）角度θ１を持って入射すると、第２案内ミラー３０によって光線ＢＹの一部がけられてしまい、光量が落ちてしまうことが起こり得る。また、逆に図１６で示すように、それらの光線が光軸ノミナルに対して下向きになるような（所望としない）角度θ２を持って入射した場合でも、第２案内ミラー３０によって光線ＢＣの一部が反射されず、光量が落ちてしまうことが起こり得る。このような現象は、色抜けやゴーストなどを発生させる要因となる。
【００１８】
そこで、本発明は、分離前において、同一光学素子を通過する各々の光線間の距離を、結像性能及びコストを鑑みて、ある程度狭くしながらも、温度や振動などの環境変動による光線の光路変動に対し、その変動量を自動的に検出して補正し、色抜けやゴーストなどの発生を抑制することができる光走査装置を得ることを目的とする。
【００１９】
【課題を解決するための手段】
上記の目的を達成するために、本発明に係る請求項１に記載の光走査装置は、光源から出射された複数本の光線を線状に結像して偏向手段の偏向面へ入射させる光学系と、前記偏向手段により偏向されて入射する複数本の光線を分離して、各々の被走査体へ導く分離手段と、画像形成領域外に設けられ、前記分離手段で同方向へ分離された２本の光線を同期信号検出手段へ反射する反射ミラーと、を備えた光走査装置において、前記同期信号検出手段で検出した２本の光線の光量の増減により、光軸ずれ量を判定する判定手段と、前記判定手段による判定結果に基づき、２本の光線を、光軸ずれを解消する方向へ移動させる光軸移動手段と、を有することを特徴としている。
【００２０】
請求項１の発明では、画像書き出し位置を決定する際（画像書き出し開始前に）、同期信号検出手段で検出した２本の光線の光量の増減を基に、判定手段により、その光軸ずれ量が判定される。そして、その判定結果に基づいて、２本の光線を光軸移動手段により移動させることで、その光軸ずれが解消される。したがって、色抜けやゴーストの発生を抑制することができる。
【００２１】
また、請求項２に記載の光走査装置は、請求項１に記載の光走査装置において、前記光軸移動手段が、光走査装置内の温度を上下させる温度制御手段であることを特徴としている。
【００２２】
請求項２の発明では、光走査装置内の温度を上下させる温度制御手段により、光軸を移動させる。これは、例えば筐体（光学箱）の床などは、温度上昇などによって変形するおそれがあり、このような現象が起きると、光学系を構成する光学素子が位置ずれしたり、傾倒したりして光量が変動するからである。したがって、温度を調整して光軸の位置ずれを補正することにより、色抜けやゴーストの発生を抑制することができる。
【００２３】
更に、請求項３に記載の光走査装置は、請求項２に記載の光走査装置において、前記温度制御手段が、光走査装置の筐体内へ風を吹き込むファンの回転数を制御して行われることを特徴としている。
【００２４】
請求項３の発明では、光走査装置の筐体内へ風を吹き込むファンの回転数を制御することによって温度を調整するので、別途温度制御手段を設ける必要がなく、簡単に構成できる利点がある。
【００２５】
また、請求項４に記載の光走査装置は、請求項１に記載の光走査装置において、前記光軸移動手段が、前記光学系を構成する反射ミラーの位置調整によって行われることを特徴としている。
【００２６】
請求項４の発明では、光学系を構成する反射ミラーの位置調整によって光軸を移動させる。これは、例えば筐体（光学箱）の床などは、環境の変化などによって変形するおそれがあり、このような現象が起きると、光学系を構成する反射ミラーが位置ずれしたり、傾倒したりして光量が変動するからである。したがって、この反射ミラーの位置及び姿勢（傾き）を調整することにより、光軸の位置ずれを補正することができるので、色抜けやゴーストの発生を抑制することができる。
【００２７】
また、請求項５に記載の光走査装置は、請求項１に記載の光走査装置において、前記光軸移動手段が、前記光源の位置調整によって行われることを特徴としている。
【００２８】
請求項５の発明では、光源の位置調整によって光軸を移動させる。前述したように、光学系を構成する反射ミラーなどが位置ずれすることにより、光量が変動する場合があるが、それに合わせて光源の位置及び姿勢（傾き）を調整すれば、光軸の位置ずれを補正することができるので、同様に、色抜けやゴーストの発生を抑制することができる。
【００２９】
また、請求項６に記載の光走査装置は、請求項１乃至５の何れかに記載の光走査装置において、前記同期信号検出手段の前に副走査方向にのみパワーを持つ光学素子を配置し、前記偏向手段の偏向面へ入射させる光学系の光学素子の何れかと略共役関係とすることを特徴としている。
【００３０】
請求項６の発明では、副走査方向にのみパワーを持つ光学素子により、同期信号検出手段と、偏向手段の偏向面へ入射させる光学系の光学素子の何れかとが略共役関係になっているので、その光学系の光学素子の位置及び姿勢（傾き）を調整しても、レーザービームが同期信号検出手段から外れるおそれが少ない。
【００３１】
また、請求項７に記載の光走査装置は、請求項１乃至６の何れかに記載の光走査装置において、前記判定手段は、２本の光線が前記同期信号検出手段の所定位置に入射したときの基準光量と、２本の光線の入射位置がずれたときの測定光量との差から、光軸のずれ量とずれ方向を判定することを特徴としている。
【００３２】
請求項７の発明では、基準光量と測定光量との差から、光軸のずれ量とずれ方向を判定するので、画像書き出し開始前に、確実に判定することができる。
【００３３】
【発明の実施の形態】
以下、本発明の実施の形態を図面に示す実施例を基に詳細に説明する。図１乃至図３は、第１案内ミラー２８及び第２案内ミラー３０付近の様子を示す図である。これらの図で示すように、分離多面鏡２６の反射面２６Ａで反射されたレーザービームが入射するセンサーミラー４６は、主走査方向への走査範囲の外側（画像形成領域外）で、かつ光線の進む方向に対して分離多面鏡２６に近い第２案内ミラー３０と、分離多面鏡２６から遠い第１案内ミラー２８との間に配設されている。
【００３４】
そして、このセンサーミラー４６で反射したレーザービームが分離多面鏡２６に戻されて入射し、更に、その分離多面鏡２６で反射されて、ポリゴンミラー２０の近傍に配設された同期信号検出手段としての照射位置検出センサー４８に入射する。これにより、感光体ドラムなどの像担持体への静電潜像の形成が適切なタイミングで開始されるようになっている。つまり、この照射位置検出センサー４８は、分離多面鏡２６等で反射された光（光量）を検出するとともに、像担持体に対する画像書き出し位置を決定する同期信号も検出している。
【００３５】
ここで、センサーミラー４６は、図３で示すように、分離多面鏡２６の反射面２６Ａで反射したレーザービーム（光線）のうち、通常は光線ＢＹを反射するように配設されている。ところが、図４で示すように、環境変動により、分離多面鏡２６に対するレーザービーム（光線）の入射角が変化して、光線ＢＹが第２案内ミラー３０によってけられた場合、けられずに残った光線ＢＹ束のみがセンサーミラー４６により反射され、更に分離多面鏡２６の反射面２６Ａによって反射されて、副走査方向にパワーを持つ結像レンズ５０を介して照射位置検出センサー４８に入射することになる。
【００３６】
また、図５で示すように、環境変動により、分離多面鏡２６に対するレーザービーム（光線）の入射角が、図４とは逆の方向へ変化した場合、光線ＢＹと光線ＢＣを同時に点灯させていれば、光線ＢＹと合わせて、光線ＢＣの一部がセンサーミラー４６に入射して反射され、更に分離多面鏡２６の反射面２６Ａによって反射されて、副走査方向にパワーを持つ結像レンズ５０を介して照射位置検出センサー４８に入射することになる。このように、分離多面鏡２６に入射するレーザービーム（光線）の入射角が変動すると、照射位置検出センサー４８へ入射する光の量が変化する。
【００３７】
そこで、今図４、図５で示すように、第２案内ミラー３０位置における副走査方向光線ＢＹの光軸ノミナル位置（原点Ｏ）からの変動量を光軸高さ量Ｄと定義する。そして、光線ＢＹと光線ＢＣの両方を同時に点灯させた場合において、その光軸高さ量Ｄに対する照射位置検出センサー４８への入射光線束による光量Ｉをグラフにすると、図６のようになる。なお、光量ＩＣは、光線ＢＹのすべてが照射位置検出センサー４８に入射した場合の光量であり、この光量ＩＣが基準光量（基準値）となっている。
【００３８】
この図６のグラフから、光軸高さＤが正の方向にあると、光線ＢＹのレーザービームがけられて光量Ｉが減少し、光軸高さＤが負の方向にあると、光線ＢＹと光線ＢＣの一部が照射位置検出センサー４８に入射して光量Ｉが増加することが判る。したがって、例えば画像走査前（画像書き出し開始前）の走査位置（画像書き出し位置）検出タイミングにおいて、光線ＢＹ、光線ＢＣの２色の光線を同時に点灯させ、照射位置検出センサー４８の光量Ｉを測定すれば、その光軸のずれ量とずれ方向を、走査領域に入る前（画像書き出し開始前）に確実に検出できることになる。この結果を基に、光軸ずれを補正すれば（光線ＢＹ又は光線ＢＣを、光軸ずれを解消する方向に移動させれば）、色抜けやゴーストの発生を抑制することができる。
【００３９】
そこで、次に、その補正手段（判定及び光軸移動手段）について説明する。図７は温度に対する光軸高さＤの変動量を示したグラフである。この図７のグラフからは、温度が上昇すると、光軸高さＤが変動することが判る。これは、特にポリゴンミラー２０以前の光学系（光学素子１２〜１８）が収容された筐体（光学箱）の底板（床）などは、温度上昇に伴って変形しやすいので、例えば、図１２、図１３で示した第１反射ミラー１６、第２反射ミラー１８などが、それによって位置ずれしたり、傾倒してしまうことを示している。したがって、光走査装置内の温度を検出して調整することにより、光軸高さＤの変動量を補正することができる。
【００４０】
図８は、その温度制御手段（光軸移動手段）の構成を示す概略図である。この図８で示すように、通常、画像形成装置内には、筐体（光学箱）等を冷却する冷却ファン５２が設置されており、この冷却ファン５２による送風量を調節することにより、画像形成装置内の温度を自動的に調整できる。
【００４１】
図９にそのフローチャートを示す。まず、画像書き出し位置検出タイミングにおいて、Ｙ色とＣ色に対応するレーザー光源１０を同時に点灯させる。このとき、照射位置検出センサー４８によって、画像書き出し位置の同期信号を得るのと同時に光量Ｉの情報を得る。そして、その光量Ｉの値から、予めメモリー（図示省略）に記憶してある光軸高さＤが正常の場合の光量ＩＣとの差分△Ｉを、判定手段としての演算回路５６で計算し、その符号と量に合わせて、温度制御手段としての冷却ファン５２を自動制御し、筐体（光学箱）周辺の温度を変化させる（調整する）。
【００４２】
すなわち、△Ｉ＝０のときには、そのまま画像を書き始め、△Ｉ≠０のときには、例えば、△Ｉ＞０のときには、冷却ファン５２の回転数を上げて温度を下げ、△Ｉ＜０のときには、冷却ファン５２の回転数を下げて温度を上げる。
【００４３】
こうして、光軸高さＤの変動量に対応して、冷却ファン５２の回転数（送風量）を制御し、△Ｉ＝０となるまで、このフローを繰り返し行うことにより、装置内の温度が自動的に調整されるので、光軸高さＤの変動を抑えることができる。つまり、光軸高さＤを正常値（基準値）に補正することができるので、画像を書き始めたときに、色抜けやゴーストの発生を抑制することができる。なお、温度制御手段としては、冷却ファン５２に限定されるものではなく、別途温度調整できる装置等を配設してもよいことは言うまでもない。
【００４４】
また、分離前（分離多面鏡２６に入射する前）において、光軸高さＤを調整するようにしてもよい。すなわち、例えば図１０で示すように、ポリゴンミラー２０へ入射させる最終光学素子である第２反射ミラー１８の位置及び姿勢（上下・左右方向の傾き）を調整できる光軸移動手段としての光軸高さ調整モーター５４等を設け、照射位置検出センサー４８による同期信号検出時の光量Ｉに基づいて、そのモーター５４を正方向あるいは逆方向に自動的に回転させて、第２反射ミラー１８の位置及び姿勢（傾き）を調整し、光軸高さＤを正常値（基準値）に補正するようにしてもよい。
【００４５】
図１１にそのフローチャートを示す。まず、前述と同様に、書き出し位置検出タイミングにおいて、Ｙ色とＣ色に対応するレーザー光源１０を同時に点灯させる。このとき、照射位置検出センサー４８によって、画像書き出し位置の同期信号を得るのと同時に光量Ｉの情報を得る。そして、その光量Ｉの値から予めメモリー（図示省略）に記憶してある光軸高さＤが正常の場合の光量ＩＣとの差分△Ｉを、判定手段としての演算回路５６で計算する。
【００４６】
ここで、△Ｉ＝０であれば、そのまま画像を書き始めればよいが、△Ｉ≠０であれば、その△Ｉの符号と量に合わせて第２反射ミラー１８の位置や姿勢（傾き）の補正量を算出する。そして、光軸高さ調整モーター５４の回転駆動を制御して、第２反射ミラー１８の位置や姿勢（傾き）を変える。こうして、△Ｉ＝０となるまで、このフローを繰り返し行うことにより、光軸高さＤを正常値（基準値）に補正することができるので、画像を書き始めたときに、色抜けやゴーストの発生を抑制することができる。
【００４７】
なお、結像レンズ５０による照射位置検出センサー４８の配設位置は、第２反射ミラー１８の位置と略共役関係になる位置とすることが望ましい。このような構成にすれば、第２反射ミラー１８を調整したときに、レーザービームが照射位置検出センサー４８から外れる心配が少ない。また、第２反射ミラー１８の位置及び姿勢（傾き）を調整する代わりに、第１反射ミラー１６やレーザー光源１０の位置及び姿勢（傾き）を調整する構成にして、光軸高さＤを補正するようにしてもよい。
【００４８】
【発明の効果】
以上、何れにしても本発明によれば、温度や振動などの環境変動による光線の光路変動量を、画像書き出し開始前に自動的に検出して補正することができる。したがって、色抜けやゴーストの発生を抑制することができる。
【図面の簡単な説明】
【図１】照射位置検出センサーの位置を示す模式図
【図２】照射位置検出センサーの位置を示す模式図
【図３】照射位置検出センサーの位置を示す模式図
【図４】照射位置検出センサーが検出する光量によって光軸高さのずれを検出する仕組みを示す模式図
【図５】照射位置検出センサーが検出する光量によって光軸高さのずれを検出する仕組みを示す模式図
【図６】光軸高さ変動量と照射位置検出センサーが検出する光量のグラフ
【図７】温度と光軸高さ変動量のグラフ
【図８】光軸高さを温度の調整によって補正することを示す概略構成図
【図９】光軸高さを温度の調整によって補正することを示すフローチャート
【図１０】光軸高さを光学素子の調整によって補正することを示す模式図
【図１１】光軸高さを光学素子の調整によって補正することを示すフローチャート
【図１２】光走査装置の分離光学系構造を示す平面から見た模式図
【図１３】光走査装置の分離光学系構造を示す側面から見た模式図
【図１４】光走査装置の分離光学系構造の一部を示す模式図
【図１５】環境変動により光線の位置が変動した分離光学系の一部を示す模式図
【図１６】環境変動により光線の位置が変動した分離光学系の一部を示す模式図
【符号の説明】
１０  レーザー光源
１８  第２反射ミラー（最終光学素子）
２０  ポリゴンミラー（偏向手段）
２６  分離多面鏡（分離手段）
２８  第１案内ミラー
３０  第２案内ミラー
３２  第３案内ミラー
３４  第４案内ミラー
３６  第１シリンドリカルミラー
３８  第２シリンドリカルミラー
４０  第３シリンドリカルミラー
４２  第４シリンドリカルミラー
４６  センサーミラー（反射ミラー）
４８  照射位置検出センサー（同期信号検出手段）
５２  冷却ファン（温度制御手段／光軸移動手段）
５４  光軸高さ調整モーター（光軸移動手段）
５６  演算回路（判定手段）
【図１】
2004287293.tif 000003
【図２】
2004287293.tif 000004
【図３】
2004287293.tif 000005
【図４】
2004287293.tif 000006
【図５】
2004287293.tif 000007
【図６】
2004287293.tif 000008
【図７】
2004287293.tif 000009
【図８】
2004287293.tif 000010
【図９】
2004287293.tif 000011
【図１０】
2004287293.tif 000012
【図１１】
2004287293.tif 000013
【図１２】
2004287293.tif 000014
【図１３】
2004287293.tif 000015
【図１４】
2004287293.tif 000016
【図１５】
2004287293.tif 000017
【図１６】
2004287293.tif 000018